(57)【特許請求の範囲】
【請求項１】
出湯に供される湯水を蓄えるための貯湯タンクを備え、該貯湯タンク内の湯水を所定の熱源機で昇温する貯湯システムであって、
前記貯湯タンクの下部の排水口から該貯湯タンク内の水を排水するか否かを切り替える排水弁と、
前記排水口から排水された水を浄化する浄水器と、
空気ポンプが接続される圧力注入口と、
前記圧力注入口と前記貯湯タンクの上部に設けられた開口とを結ぶ加圧経路の途中に設けられ、前記圧力注入口に接続された空気ポンプから到来する潤滑オイルの匂い成分を除去する活性炭フィルタと、
前記活性炭フィルタと前記開口との間の前記加圧経路に設けられた逆止弁と、
を有する
ことを特徴とする貯湯システム。
【請求項２】
前記浄水器を経た水を取り出す取り出し口は、当該貯湯システムの接地面より所定距離以上高い場所に設けられる
ことを特徴とする請求項１に記載の貯湯システム。
【請求項３】
前記浄水器は、中空糸膜式である
ことを特徴とする請求項１または２に記載の貯湯システム。
【請求項４】
前記貯湯タンクに給水を補給する給水路を、通電時は開き、非通電時は閉じる開閉弁を設けた
ことを特徴とする請求項１乃至３のいずれか１つに記載の貯湯システム。
【発明の詳細な説明】
【技術分野】
【０００１】
本発明は、出湯に供される湯水を蓄えるための貯湯タンクを備え、該貯湯タンク内の湯水を所定の熱源機で昇温する貯湯システムに関する。
【背景技術】
【０００２】
貯湯システムには、給水源から供給される水を浄水器で浄化してから貯湯タンクに補給することでスケールの付着を軽減するものがある（たとえば、特許文献１参照）。
【先行技術文献】
【特許文献】
【０００３】
【特許文献１】特許第４８８２７３１号
【発明の概要】
【発明が解決しようとする課題】
【０００４】
災害により、水道が使えなくなった場合には、貯湯システムの貯湯タンクに蓄えられている湯水の利用が望まれる。
【０００５】
しかし、断水に加えて、電気、ガスも遮断されると、貯湯タンク内の水温が低下し、熱による殺菌ができず、雑菌の繁殖を招く。このため、貯湯タンク内の水を飲料水として使用することができなくなってしまう。
【０００６】
特許文献１のシステムは浄水器を備えているが、貯湯タンクに補給する給水を浄化するものであり、上記の問題には対応できない。
【０００７】
本発明は、上記の問題を解決しようとするものであり、災害時などに電気、ガス、水道が遮断された状況下で貯湯タンクに長く溜まっている水を飲料水として利用可能な貯湯システムを提供することを目的としている。
【課題を解決するための手段】
【０００８】
かかる目的を達成するための本発明の要旨とするところは、次の各項の発明に存する。
【０００９】
［１］出湯に供される湯水を蓄えるための貯湯タンクを備え、該貯湯タンク内の湯水を所定の熱源機で昇温する貯湯システムであって、
前記貯湯タンクの下部の排水口から該貯湯タンク内の水を排水するか否かを切り替える排水弁と、
前記排水口から排水された水を浄化する浄水器と、
空気ポンプが接続される圧力注入口と、
前記圧力注入口と前記貯湯タンクの上部に設けられた開口とを結ぶ加圧経路の途中に設けられ、前記圧力注入口に接続された空気ポンプから到来する潤滑オイルの匂い成分を除去する活性炭フィルタと、
前記活性炭フィルタと前記開口との間の前記加圧経路に設けられた逆止弁と、
を有する
ことを特徴とする貯湯システム。
【００１０】
上記発明では、貯湯タンク内の水を浄水器で浄化して排水することができる。災害時に電気、ガス、水道が遮断されて貯湯タンク内の水が雑菌で汚染された場合でも、該貯湯タンク内の水を浄化して飲料水として利用することが可能になる。また、圧力注入口からポンプで空気を送り込むことで、貯湯タンク内の圧力を高めることができる。中空糸膜式の浄水器は、一定以上の水圧で水を送り込む必要があるが、貯湯タンク内の圧力を高めることで、排水弁を開いたときに、浄水器へ高い水圧で水を送り込むことができる。圧力注入口に接続したポンプの潤滑オイルなどの匂いを活性炭フィルタで脱臭する。また、逆止弁は、貯湯タンクの水が活性炭フィルタに至ることを防止する。
【００１１】
［２］前記浄水器を経た水を取り出す取り出し口は、当該貯湯システムの接地面より所定距離以上高い場所に設けられる
ことを特徴とする［１］に記載の貯湯システム。
【００１２】
たとえば、浄水器を経た水の取り出し口として蛇口を設ける場合、該蛇口の下に、蛇口から流出する水を受け止めてためる小型のタンクなどを置けるように、蛇口の設置高さを設定する。
【００１３】
［３］前記浄水器は、中空糸膜式である
ことを特徴とする［１］または［２］に記載の貯湯システム。
【００１４】
上記発明では、中空糸膜式は、通水後に放置しても、浄水器内部での雑菌の繁殖がないので、災害時の使用前に、防災訓練などで浄水器からの吐出が試しに行われても問題ない。
【００１９】
［４］前記貯湯タンクに給水を補給する給水路を、通電時は開き、非通電時は閉じる開閉弁を設けた
ことを特徴とする［１］乃至［３］のいずれか１つに記載の貯湯システム。
【００２０】
上記発明では、電磁弁が閉じることで、マンションなどで、排水弁を開いたときに、貯湯タンク内の水が給水管を通じて階下に流れ出ることが防止される。
【発明の効果】
【００２１】
本発明に係る貯湯システムによれば、災害時などに、電気、ガス、水道が遮断された状況下で貯湯タンクに長く溜まっている水を飲料水として利用することができる。
【図面の簡単な説明】
【００２２】
【図１】本発明の貯湯システムを適用した風呂給湯システムの概略構成を示す図である。
【図２】風呂給湯器の構成例を示す図である。
【図３】排熱回収動作における湯水の流れを示す説明図である。
【図４】第１モードの給湯動作における湯水の流れを示す説明図である。
【図５】第２モードの給湯動作における湯水の流れを示す説明図である。
【図６】第３モードの給湯動作における湯水の流れを示す説明図である。
【図７】注湯動作における湯水の流れを示す説明図である。
【図８】電気、ガス、水道が停止した状態で貯湯タンク内の水を、浄水器を通して排水する場合の水の流れを示す図である。
【図９】浄水用の蛇口を貯湯システムの設置面より所定距離以上高い位置に設けた場合の風呂給湯システムの構成を示す図である。
【発明を実施するための形態】
【００２３】
以下、図面に基づき本発明の実施の形態を説明する。
【００２４】
図１は、本発明の貯湯システムを適用した風呂給湯システム１０の構成を示している。風呂給湯システム１０は、貯湯タンクユニット１１と、熱源機４と、排熱回収装置５０と、バックアップ熱源機としての風呂給湯器７０とを備えて構成される。本例では、熱源機４は燃料電池である。なお、図中、装置間の配管や外部配管は２重の矢印で示してある。
【００２５】
貯湯タンクユニット１１は、給水管１２から供給される給水を蓄える貯湯タンク１３を備えている。貯湯タンク１３は中空略円柱状のタンクであり、下部には給水口１４が設けてあり、上部には出湯口１５が設けてある。さらに貯湯タンク１３の下部には取水口１６が、上部には戻り口１７が設けてある。
【００２６】
貯湯タンク１３は、たとえば、容量１００リットル程度を有し、底から２０リットルの水位の箇所に、その箇所の水温を検出する第１温度センサ１８ａが、底から４０リットルの水位の箇所に、その箇所の水温を検出する第２温度センサ１８ｂが、底から６０リットルの水位の箇所に、その箇所の水温を検出する第３温度センサ１８ｃが、底から８０リットルの水位の箇所に、その箇所の水温を検出する湯切れ温度センサ１８ｄが、さらに貯湯タンク１３内のほぼ最上部に、その箇所の水温を検出するタンク上部温度センサ１８ｅがそれぞれ設けてある。
【００２７】
排熱回収装置５０は、熱源機４の内部などに設けられて熱源機４の排熱を回収する。排熱回収装置５０は排熱回収熱交換器５１と、排熱回収ポンプ５２とを有する。貯湯タンク１３と排熱回収装置５０の排熱回収熱交換器５１は、これらの間に貯湯タンク１３の水を循環させる排熱回収循環経路が構成されるように熱回収配管５３（５３ａ、５３ｂ）で接続されている。詳細には、貯湯タンク１３の取水口１６には熱回収配管（低温）５３ａの一端が接続され、排熱回収熱交換器５１の入り側に熱回収配管（低温）５３ａの他端が接続されている。排熱回収ポンプ５２は、排熱回収熱交換器５１の入り側近傍の熱回収配管（低温）５３ａに介挿されており、排熱回収ポンプ５２は熱回収配管（低温）５３ａ内の水を貯湯タンク１３の取水口１６側から排熱回収熱交換器５１の入り側に向けて送水する。
【００２８】
排熱回収熱交換器５１の出側には熱回収配管（高温）５３ｂが接続され、熱回収配管（高温）５３ｂの他端は、貯湯タンクユニット１１内の第１三方弁２１の第１接続口２１ａに接続されている。
【００２９】
第１三方弁２１は、前述の第１接続口２１ａと、第２接続口２１ｂと第３接続口２１ｃとを備え、第１接続口２１ａと第２接続口２１ｂとを接続し第３接続口２１ｃを閉鎖するＡ方向と、第１接続口２１ａと第３接続口２１ｃとを接続し第２接続口２１ｂを閉鎖するＢ方向とに接続状態を切り替え可能に構成されている。なお、第１三方弁２１は第１接続口２１ａから流入する水の温度が所定温度以上ならばＡ方向となり、所定温度未満ならばＢ方向に切り替わるように制御部２０により制御される。
【００３０】
第１三方弁２１の第２接続口２１ｂは貯湯タンク１３の戻り口１７に配管されている。第１三方弁２１の第３接続口２１ｃにはバイパス管５４の一端が接続され、バイパス管５４の他端は貯湯タンクユニット１１内で熱回収配管（低温）５３ａに合流している。
【００３１】
第１三方弁２１の第１接続口２１ａ近傍の熱回収配管（高温）５３ｂには熱回収配管高温側温度センサ２２ａが設けてあり、貯湯タンク１３の取水口１６からバイパス管５４との合流箇所までの間の熱回収配管（低温）５３ａに熱回収配管低温側温度センサ２２ｂが設けてある。
【００３２】
貯湯タンクユニット１１は、貯湯タンク１３の出湯口１５からの湯と、風呂給湯器７０からの湯と、給水とを混合する混合器２３を備えている。この混合器２３は、実際には、貯湯タンク１３の出湯口１５からの湯の混合量を調整する第１混合器２３ａと、風呂給湯器７０からの湯の混合量を調整する第２混合器２３ｂと、給水管１２からの給水の混合量を調整する第３混合器２３ｃとを有して構成される。
【００３３】
第１混合器２３ａの入り側は貯湯タンク１３の出湯口１５に配管で接続されており、この配管の途中には、タンク出口温度センサ２６が設けてある。また、この配管から分岐した管路（加圧経路）の途中には逆止弁４７が介挿され、さらにその先に活性炭フィルタ４８が設けられ、末端に圧力注入口４９が設けてある。第２混合器２３ｂの入り側は風呂給湯器７０の給湯接続口に接続配管（高温）６１で接続されている。接続配管（高温）６１のうち貯湯タンクユニット１１内の所定箇所には接続配管（高温）６１内の水温を検出する接続配管高温側温度センサ２８が設けてある。第３混合器２３ｃの入り側には給水管１２が接続されている。
【００３４】
第１混合器２３ａの出側と第２混合器２３ｂの出側は合流し、給湯高温温度センサ２９の設けられた配管を経た後、第３混合器２３ｃの出側からの配管と合流して混合器２３の出口に通じている。混合器２３の出口には給湯配管３１が接続されている。混合器２３の出口近傍の給湯配管３１には出湯温度センサ３２およびハイカット温度センサ３３が設けてある。
【００３５】
貯湯タンクユニット１１内部の給水管１２には、通電時に開き、停電時に閉じる電磁弁４４が介挿され、その下流に流量センサ３４、給水温度センサ３５、減圧弁３６が設けられている。給水管１２は、これらの下流で３つに分岐し、その１つは逆止弁３７ａを介して第３混合器２３ｃの入り側に接続され、他の１つは逆止弁３７ｂを介して貯湯タンク１３の給水口１４に接続され、他の１つは逆止弁３７ｃを介して第２三方弁３８の第２接続口３８ｂに接続されている。
【００３６】
第２三方弁３８は、第１接続口３８ａと第２接続口３８ｂと第３接続口３８ｃとを備え、第１接続口３８ａと第２接続口３８ｂとを接続し第３接続口３８ｃを閉鎖したＣ方向と、第１接続口３８ａと第３接続口３８ｃとを接続し第２接続口３８ｂを閉鎖したＤ方向とに接続状態を切り替え可能になっている。第３接続口３８ｃには、ハイカット温度センサ３３の下流側で給湯配管３１から分岐した配管３１ｂが接続されている。この配管３１ｂの途中には逆止弁３９が設けてある。第２三方弁３８の第１接続口３８ａは風呂給湯器７０の給水接続口に接続配管（低温）６２を通じて接続されている。
【００３７】
さらに貯湯タンクユニット１１の取水口１６には所定の排水箇所に通じる排水管４１が接続されており、排水管４１の途中にはこの管路を開閉する手動の排水栓４２が、さらにその下流に手動の第３三方弁４５が設けてある。排水栓４２は常時は閉じた状態にされている。
【００３８】
第３三方弁４５の第１接続口４５ａは排水栓４２の出側に接続され、第３三方弁４５の第２接続口４５ｂには、第３三方弁４５より下流側の排水管４１が接続されている。第３三方弁４５の第３接続口４５ｃには、浄水器４６の入側が接続されている。浄水器４６の出側は、非常用飲料水の吐出口になっている。浄水器４６は中空糸膜式である。
【００３９】
第３三方弁４５は、第１接続口４５ａと第２接続口４５ｂが連通し、第３接続口４５ｃが封鎖されたＥ方向、第１接続口４５ａと第３接続口４５ｃとが連通し、第２接続口４５ｂが封鎖されたＦ方向に、手動で切り替えることができる。
【００４０】
貯湯タンクユニット１１は、当該貯湯タンクユニット１１の動作を統括制御する制御部２０を備えている。制御部２０はＣＰＵ（Central Processing Unit）と、該ＣＰＵが実行するプログラムや固定データなどが記憶されたフラッシュＲＯＭ（Read Only Memory）と、ＣＰＵがプログラムを実行する際に各種情報を一時記憶するＲＡＭ（Random Access Memory）、各種の信号を入出力するＩ／Ｆ（Interface）部などを主要部とする回路で構成されている。制御部２０には、貯湯タンクユニット１１の各種センサからの検出信号が入力されている。また制御部２０からは各弁やその他の制御対象に対して制御信号が出力される。制御部２０はさらに熱源機４や風呂給湯器７０と各種の情報や指令を授受するようになっている。
【００４１】
次に、バックアップ熱源機としての風呂給湯器７０の構成例を説明する。風呂給湯器７０は接続配管（低温）６２が接続された給水接続口から流入する水を加熱して出湯する機能、風呂（浴槽）２へ注湯（湯張り）する機能、浴槽内の湯水を追い焚きする機能、暖房用放熱器３に加熱した熱媒体流体を流して暖房する機能などを備えたガス燃焼式の風呂給湯器である。なお、図２では暖房機能に係る部分は省略してある。
【００４２】
風呂給湯器７０は、第１熱交換水管７２ａと第２熱交換水管７２ｂとが通る一缶二水路型の熱交換器７２と、この熱交換器７２を加熱するバーナ７３を備える。バーナ７３にはガス供給管７３ａが接続され、このガス供給管７３ａの途中には、ガスの供給／遮断を切り替えるガス弁や供給ガス量を調整する比例弁などが設けてある。
【００４３】
第１熱交換水管７２ａの入り側は入水管７４により給水接続口に接続され、第１熱交換水管７２ａの出側は出湯管７５により給湯接続口に接続されている。また、第２熱交換水管７２ｂの入り側には風呂（浴槽）２へ通じる風呂戻り管７６が、第２熱交換水管７２ｂの出側には同じく風呂（浴槽）２へ通じる風呂往き管７７がそれぞれ接続されている。
【００４４】
出湯管７５と風呂戻り管７６とは、連結管７８によって接続されており、該連結管７８の途中には、連結管７８の閉鎖／開通を切り替える注湯電磁弁７９が設けてある。また、連結管７８の接続箇所より上流側の出湯管７５の途中には、略閉鎖状態から全開状態まで開度を調整可能な水量サーボ８１が出湯水量を調整するために設けてある。水量サーボ８１の下流側には、出湯温度を検出する出湯温度センサ８２が設けてある。
【００４５】
さらに、入水管７４から分岐し、水量サーボ８１より第１熱交換水管７２ａ側の所定箇所で出湯管７５に合流・接続されたバイパス管８３を備え、このバイパス管８３の途中に、略閉鎖から全開まで開度を調整可能なバイパス調整弁８４を備えている。第１熱交換水管７２ａからの湯とバイパス管８３を経由した水とを混合して設定温度の湯になるようにバイパス調整弁８４が調整される。バイパス管８３の分岐箇所より上流側の入水管７４には、入水管７４内の流量を検出する流量センサ８５および入水温度を検知する入水温度センサ８６が設けてある。
【００４６】
風呂戻り管７６の途中には、風呂（浴槽）２内の水を、追い焚き循環経路（風呂戻り管７６、第２熱交換水管７２ｂ、風呂往き管７７）を通じて循環させるための風呂循環ポンプ８７が設けてある。風呂戻り管７６に設けた流水スイッチ８８は、風呂循環ポンプ８７を作動させたとき、追い焚き循環経路に実際に水が循環しているか否かを検出する。
【００４７】
このほか、風呂戻り管７６および風呂往き管７７には、それぞれ管内の温度を検出する風呂往き温度センサ８９ａ、風呂戻り温度センサ８９ｂが設けてある。
【００４８】
制御部９１は、ＣＰＵと、該ＣＰＵが実行するプログラムや固定データなどが記憶されたフラッシュＲＯＭと、ＣＰＵがプログラムを実行する際に各種情報を一時記憶するＲＡＭなどを主要部とする回路で構成されている。制御部９１には、風呂給湯器７０が有する各種センサ、弁、風呂循環ポンプ８７などが接続されている。
【００４９】
通常は、制御部９１に配線を介してリモコン９２が直接接続されるが、ここでは、風呂給湯器７０を貯湯タンクユニット１１側の制御部２０の制御下で動作させるために、制御部９１を配線を介して制御部２０に接続し、制御部２０に配線を介してリモコン(貯湯タンクユニット１１側と風呂給湯器７０の共通のリモコン)９２が接続されている。リモコン９２は、給湯設定温度や風呂設定温度の指定、湯張り動作や追い焚き動作の開始・終了指示、電源のオン／オフなど各種の操作をユーザから受けるスイッチ類、および動作状態や設定温度などを表示する表示部などで構成される。
【００５０】
風呂給湯器７０の制御部９１は、給湯接続口から接続配管（高温）６１へ出湯する給湯動作では、貯湯タンクユニット１１側の制御部２０から指示された温度の湯が接続配管（高温）６１へ出湯されるようにバーナ７３の燃焼量やバイパス調整弁８４の開度などを制御する。
【００５１】
風呂（浴槽）２へ注湯（湯張り）する動作では、注湯電磁弁７９を開けてバーナ７３を燃焼させた状態で水量サーボ８１の開度を調整することにより、給水接続口から流入する湯水が熱交換器７２の第１熱交換水管７２ａを通って加熱され、さらに出湯管７５から連結管７８、風呂戻り管７６および風呂往き管７７の双方（もしくは一方）を通じて風呂（浴槽）２へ流れ込む（この経路を注湯回路とする）。この際、リモコン９２でユーザが設定した風呂設定温度の湯が注湯されるようにバーナ７３の燃焼量やバイパス調整弁８４の開度などを制御する。なお、貯湯タンクユニット１１側から接続配管（低温）６２を通じて供給された湯が既に風呂設定温度に達しており風呂給湯器７０で追加の加熱が不要な場合は、バーナ７３を燃焼させずに注湯動作を行う。風呂給湯器７０は風呂（浴槽）２内の水位をチェックし、設定水位に達すると注湯動作は終了する。
【００５２】
追い焚き動作では、注湯電磁弁７９を閉鎖し、風呂循環ポンプ８７を作動させた状態でバーナ７３を燃焼させる。これにより風呂（浴槽）２内の湯水が風呂戻り管７６を通じて風呂給湯器７０に取り込まれ熱交換器７２の第２熱交換水管７２ｂを通る間に加熱され、加熱後の湯水が風呂往き管７７を通じて風呂（浴槽）２へ戻される。
【００５３】
次に、風呂給湯システム１０の各種動作について説明する。
【００５４】
＜排熱回収動作＞
図３は、排熱回収動作における湯水の流れを表しており、排熱回収動作における湯水の流れる経路を太線で示してある。熱源機４の排熱を回収して貯湯タンク１３内の湯水を加熱する排熱回収動作では、制御部２０は熱源機４に指示して排熱回収ポンプ５２を作動させる。これにより、貯湯タンク１３内の湯水は、取水口１６から出て、熱回収配管（低温）５３ａ、排熱回収熱交換器５１、熱回収配管（高温）５３ｂ、Ａ方向の第１三方弁２１を経由して戻り口１７から貯湯タンク１３の上部に戻る循環経路で循環する。なお、第１三方弁２１の第１接続口２１ａには、排熱回収熱交換器５１で加熱されて高温になった湯が到達するので制御部２０は第１三方弁２１をＡ方向にする。
【００５５】
給水は貯湯タンク１３の下部の給水口１４から供給され、排熱回収動作で加熱された湯は貯湯タンク１３の上部に戻されるので、貯湯タンク１３内には下部が低温で上部が高温となるような温度勾配が形成される。そして排熱回収動作を続けることで上部に溜まる高温の湯量が次第に増加する。
【００５６】
＜給湯動作＞
貯湯タンクユニット１１は風呂給湯器７０の近くに設置される場合もあれば、遠く離れて設置される場合もある。たとえば、２階に風呂があるような家屋では、風呂給湯器７０は２階の外壁に設置され貯湯タンクユニット１１および熱源機４は１階に設置されるといったケースがあり、このような場合には装置間を結ぶ接続配管（高温）６１および接続配管（低温）６２の配管長が長くなって圧損の大きい設置状況になる。本発明の風呂給湯システム１０では、低水圧地域において、配管が長くて圧損が大きい設置状況になっても、出湯量を十分確保できるように、圧損の増加を抑えた給湯を行うようになっている。
【００５７】
給湯は以下の３つの制御モードのいずれかで行われる。
【００５８】
（１）第１モード（タンク出湯）
第１モードは、貯湯タンク１３に十分蓄熱されている場合の給湯動作である。図４は、第１モードの給湯動作における湯水の流れを表している。図中、湯水の流れる経路を太線で示してある。第１モードでは、混合器２３で貯湯タンク１３からの湯と給水とを混合して給湯設定温度の湯を作り、給湯する。風呂給湯器７０には給水は送らず、風呂給湯器７０での加熱はなく燃焼運転しない。
【００５９】
詳細には、混合器２３の第２混合器２３ｂは閉じ、第１混合器２３ａと第３混合器２３ｃの開度を調整して、出湯温度センサ３２によって検出される混合器２３の出側の湯の温度が給湯設定温度になるように制御する。ここでは、たとえば、貯湯タンク１３に設けた湯切れ温度センサ１８ｄの検出温度が、給湯設定温度（実際には、給湯配管などでの温度低下を考慮してたとえば給湯設定温度＋１℃とする）以上の場合は第１モードでの給湯を行う。
【００６０】
（２）第２モード（給湯器出湯モード）
第２モードは、貯湯タンク１３に利用可能な湯がない場合の給湯動作である。図５は、第２モードの給湯動作における湯水の流れを表している。図中、湯水の流れる経路を太線で示してある。第２モードでは、給水を風呂給湯器７０で給湯設定温度より高い温度に加熱した湯と給水とを混合器２３で混合して給湯設定温度の湯を給湯する。
【００６１】
詳細には、第２三方弁３８をＣ方向に設定し、風呂給湯器７０に給水を供給する。また、混合器２３の第１混合器２３ａは閉じ、第２混合器２３ｂと第３混合器２３ｃの開度を調整して、出湯温度センサ３２によって検出される混合器２３の出側の湯の温度が給湯設定温度になるように制御する。
【００６２】
なお、制御部２０は、風呂給湯器７０の出湯温度が給湯設定温度より十分高くなるように風呂給湯器７０に対して出湯温度を指示する。これにより、給水と混ぜて給湯設定温度を得るために必要な風呂給湯器７０からの湯の量が少なくなり、接続配管（低温）６２、風呂給湯器７０および接続配管（高温）６１を経由することにより生じる圧損を小さく抑えることができる。たとえば、給湯設定温度が４０℃ならば風呂給湯器７０から５５℃の湯をもらう。また給湯設定温度が６０℃ならば風呂給湯器７０から７５℃の湯をもらう、というようにする。
【００６３】
（３）第３モード（後混合出湯モード）
第３モードは、貯湯タンク１３内に蓄熱はあるが、温度が低く、貯湯タンク１３内の湯だけでは不十分な場合の給湯動作である。図６は、第３モードの給湯動作における湯水の流れを表している。図中、湯水の流れる経路を太線で示してある。第３モードは、たとえば、貯湯タンク１３の湯切れ温度センサ１８ｄの検出温度が給湯設定温度より低いが給湯設定温度より１０℃以上は低くないような場合に選択される。
【００６４】
第３モードでは、給水を風呂給湯器７０で加熱した湯と貯湯タンク１３からの湯と給水とを混合して給湯設定温度の湯を作る。詳細には、第２三方弁３８をＣ方向とし、給水を風呂給湯器７０で加熱して作った湯と、給水と、貯湯タンク１３からの湯とを混合器２３で混合して給湯設定温度の湯を作り、給湯する。貯湯タンク１３内の湯の温度が低くても、風呂給湯器７０からもらった高温の湯と混ぜて使うことにより、貯湯タンク１３に貯めた蓄熱をより使い切ることができるため、第１、第２モードのみで制御する場合よりも省エネ性が増す。
【００６５】
なお、制御部２０は第１モードを優先選択し、第１モードで設定温度の湯を給湯できない場合であって給湯設定温度より所定温度（たとえば、１０℃）以上低くない湯を貯湯タンク１３から供給可能な場合は第３モードを選択し、第３モードを選択できない場合に第２モードを選択する。
【００６６】
＜注湯動作＞
図７は、注湯動作における湯水の流れを表している。図中、湯水の流れる経路を太線で示してある。注湯動作では、混合器２３の出側の湯を風呂給湯器７０の給水接続口へ供給すると共に、貯湯タンク１３からの湯もしくは貯湯タンク１３からの湯と給水とを混合した湯を混合器２３でつくり、混合器２３の出側から出た湯に風呂給湯器７０による加熱を足してもしくは追加の加熱無しに風呂給湯器７０から風呂（浴槽）２へ風呂設定温度の注湯が行われるように制御する。
【００６７】
具体的には、貯湯タンク１３に蓄熱がある状態で注湯（湯張り）する場合には、第２三方弁３８をＤ方向とし、混合器２３で貯湯タンク１３からの湯と給水とを混合してつくった風呂設定温度の湯を風呂給湯器７０に送り、風呂給湯器７０の注湯回路により湯張りする。貯湯タンクユニット１１の制御部２０は風呂給湯器７０に対してバーナ７３の燃焼オフのまま注湯電磁弁７９を開くように指示する。貯湯タンクユニット１１が有する混合器２３の出側からの湯は、接続配管（低温）６２から風呂給湯器７０の注湯回路、すなわち、風呂給湯器７０内の入水管７４、第１熱交換水管７２ａ、注湯電磁弁７９、連結管７８を経由した後、風呂往き管７７と風呂戻り管７６の双方もしくは一方、を通って風呂（浴槽）２へ流出し注湯される。
【００６８】
貯湯タンク１３に蓄熱がない場合の注湯は、第２三方弁３８をＤ方向とし、貯湯タンク１３内の風呂設定温度よりも低い温度の湯、または給水、またはそれらを混合した風呂設定温度よりも低い温度の湯を風呂給湯器７０に送り、風呂給湯器７０において風呂設定温度まで加熱し、風呂給湯器７０内の注湯回路を通じて注湯する。
【００６９】
なお、水位の検知や追い焚きなど全自動風呂に用いる機能は、全て風呂給湯器７０の有する機能をそのまま使用する。
【００７０】
このように、第２三方弁３８をＤ方向に切り替えて混合器２３の出側からの湯を風呂給湯器７０に供給するので、貯湯タンク内の湯を活用して注湯することができる。
【００７１】
次に、電気、ガス、水道が遮断された状態で、貯湯タンク１３内の湯水を飲料水として利用する場合について説明する。
【００７２】
停電になると、給水管１２に設けられた電磁弁４４が自動的に閉じる。この状態で利用者が手動で第３三方弁４５をＦ方向に切り替えて排水栓４２を開くと、貯湯タンク１３内の水が浄水器４６から流れ出る。
【００７３】
図８は、貯湯タンク１３内の水を浄水器４６から吐出させる場合の通水経路を示している。貯湯タンク１３内の水は、下部の取水口１６から流出し排水栓４２、第３三方弁４５、浄水器４６を経由して浄水器４６の出側から吐出する。
【００７４】
ガス、水道、電気が遮断されると、貯湯タンク１３内の水は時間の経過と共に雑菌により汚染される。しかし、浄水器４６を通すことで浄化され、飲料水として利用可能になる。
【００７５】
浄水器４６は、中空糸膜式である。浄水器には、中空糸膜式のほかに活性炭式がある。しかし、活性炭式の場合、塩素も除去するので、水道水を通水した後、そのまま長期間放置すると、内部で雑菌が繁殖してしまう。貯湯システムにおいては、貯湯タンク１３内の水を非常用の飲料水として利用できることを、システムの設置時や防災の日などに、利用者等が試すことが想定される。したがって、活性炭式の浄水器を用いると、実際に災害が発生して、非常用飲料水を使うときには、既に浄水器が雑菌で汚染されて使えなくなるおそれがある。そこで、本実施の形態では、中空糸膜式の浄水器４６を用いる。
【００７６】
ただし、中空糸膜式の場合、一定以上の水圧で水を浄水器４６に送り込む必要がある。そこで、本実施の形態では、浄水器４６を通じて飲料水を得る前に、利用者に、自転車の空気入れ等のポンプで空気を圧力注入口４９から貯湯タンク１３内に送り込む作業を行ってもらう。これにより貯湯タンク１３内の圧力を高め、浄水器４６に一定以上の水圧で水が送り込まれるようにする。圧力注入口４９は通常は閉じており、ポンプから一定以上の圧力で空気が送り込まれると、該圧力を受けて開く構造になっている。
【００７７】
さらに、浄水器４６を経た水は使用者によってポリタンク等に移されて使用すると便利である。そこで、図９に示すように、浄水器４６を経た水を取り出す蛇口５６を、貯湯タンクユニット１１の下部（接地面）より所定距離以上高い場所、例えば４５０mm以上高い場所に設け、使用者が、蛇口５６の下に、浄水された水を受け止めて溜めるポリタンク５７等を設置できるようにすることが好ましい。しかし、そのようにすると、貯湯タンク１３のうち蛇口５６より低い部分（図中のｈ部分）に蓄えられた水の使用が通常はできなくなるが、前述したように、自転車の空気入れ等によるポンプ加圧があれば、そのような低所（図中ｈ部分）に蓄えられる貯湯タンク１３内の水の使用も支障なく行える。図９の場合、蛇口５６が、貯湯タンク１３の下部の排水口１６から貯湯タンク１６内の水を排水するか否かを切り替える排水弁としての役割を果たしている。
【００７８】
なお、自転車の空気入れなどピストンを往復運動等させる構造のポンプは潤滑オイルを使用しているので、その匂いが貯湯タンク１３内部の水に移るのを防ぐ目的で、圧力注入口４９の下流に活性炭フィルタ４８を設けてある。また、活性炭フィルタ４８の下流の逆止弁４７は、活性炭フィルタ４８が濡れて雑菌が繁殖しないように、貯湯タンク１３内の水が活性炭フィルタ４８に到達することを防止する。
【００７９】
次に、電磁弁４４の作用について説明する。
【００８０】
風呂給湯システム１０がマンションに設置されている場合、断水時に、風呂給湯システム１０に接続されている蛇口（図９の蛇口５８）を開くと、通常は貯湯タンク１３内の湯水が風呂給湯器７０を経て出てくるが、断水時に上層階で蛇口を開き、かつ、下層階でも蛇口を開くと、上層階の蛇口から空気が入ると共に、上層階のタンク内の水は自重で下層階のタンクを経て下層階の蛇口から出ることがある。このような逆流を防止するために水道メータ内にはメカニカル式の逆止弁（風呂給湯システム１０内には３７ｃ）が設けられている場合があるが、その逆止弁が故障していると、貯湯タンク１３内の水が、下の階の風呂給湯システム１０の貯湯タンク１３に給水管１２を通じて流れ込む恐れがある。これでは、災害時に上層階の人は、自分の風呂給湯システム１０の貯湯タンク１３に溜まっている水を利用できない。そこで、本実施の形態では、災害などで停電した場合に、電磁弁４４が閉じて自動的に給水管１２を封鎖するようにしてある。これにより、上記の不都合は解消される。
【００８１】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８２】
本発明の貯湯システムは、風呂給湯システム１０のうちの貯湯タンクユニット１１を備えれば、排熱回収装置５０や風呂給湯器７０、燃料電池４は含まれても含まれなくてもよく、たとえば、排熱回収装置５０は燃料電池４に含まれる構成でもよいし、風呂給湯器７０は既存のものを使用してもよい。
【００８３】
貯湯タンクユニット１１の構成は実施の形態に例示したものに限定されない。たとえば、実施の形態では、風呂給湯器７０からの湯を混合器２３に戻して混合可能な構成であったが、混合器２３では、貯湯タンク１３からの湯と給水とを混合して風呂給湯器７０に供給し、風呂給湯器７０からの湯はそのまま給湯栓へ供給するような構成であってもかまわない。
【００８４】
実施の形態では、圧力注入口４９に自転車の空気入れを接続する例を示したが、他の種類のポンプでもかまわない。
【００８５】
実施の形態では、排水管４１の途中に排水栓４２を設けたが、取水口１６に排水栓４２が直接取り付けられてもよい。また、浄水器４６を、排水栓４２の下流に設けたが、取水口１６と排水栓４２の間に浄水器４６を設けてもよい。
【符号の説明】
【００８６】
２…風呂（浴槽）
３…暖房用放熱器
４…熱源機（燃料電池）
１０…風呂給湯システム
１１…貯湯タンクユニット
１２…給水管
１３…貯湯タンク
１４…給水口
１５…出湯口
１６…取水口
１７…戻り口
１８ａ…第１温度センサ
１８ｂ…第２温度センサ
１８ｃ…第３温度センサ
１８ｄ…湯切れ温度センサ
１８ｅ…タンク上部温度センサ
２０…制御部
２１…第１三方弁
２１ａ…第１三方弁の第１接続口
２１ｂ…第１三方弁の第２接続口
２１ｃ…第１三方弁の第３接続口
２２ａ…熱回収配管高温側温度センサ
２２ｂ…熱回収配管低温側温度センサ
２３…混合器
２３ａ…第１混合器
２３ｂ…第２混合器
２３ｃ…第３混合器
２６…タンク出口温度センサ
２８…接続配管高温側温度センサ
２９…給湯高温温度センサ
３１…給湯配管
３１ｂ…配管
３２…出湯温度センサ
３３…ハイカット温度センサ
３４…流量センサ
３５…給水温度センサ
３６…減圧弁
３７ａ…逆止弁
３７ｂ…逆止弁
３７ｃ…逆止弁
３８…第２三方弁
３８ａ…第２三方弁の第１接続口
３８ｂ…第２三方弁の第２接続口
３８ｃ…第２三方弁の第３接続口
３９…逆止弁
４１…排水管
４２…排水栓
４４…電磁弁
４５…第３三方弁
４５ａ…第３三方弁の第１接続口
４５ｂ…第３三方弁の第２接続口
４５ｃ…第３三方弁の第３接続口
４６…浄水器
４７…逆止弁
４８…活性炭フィルタ
４９…圧力注入口
５０…排熱回収装置
５１…排熱回収熱交換器
５２…排熱回収ポンプ
５３…熱回収配管
５３ａ…熱回収配管（低温）
５３ｂ…熱回収配管（高温）
５４…バイパス管
５６…蛇口
５７…ポリタンク
５８…風呂給湯システムに接続されている蛇口
６１…接続配管（高温）
６２…接続配管（低温）
７０…風呂給湯器
７２…熱交換器
７２ａ…第１熱交換水管
７２ｂ…第２熱交換水管
７３…バーナ
７３ａ…ガス供給管
７４…入水管
７５…出湯管
７６…風呂戻り管
７７…風呂往き管
７８…連結管
７９…注湯電磁弁
８１…水量サーボ
８２…出湯温度センサ
８３…バイパス管
８４…バイパス調整弁
８５…流量センサ
８６…入水温度センサ
８７…風呂循環ポンプ
８８…流水スイッチ
８９ａ…風呂往き温度センサ
８９ｂ…風呂戻り温度センサ
９１…制御部
９２…リモコン（共通リモコン）
【図１】
0006484411.tif 000002
【図２】
0006484411.tif 000003
【図３】
0006484411.tif 000004
【図４】
0006484411.tif 000005
【図５】
0006484411.tif 000006
【図６】
0006484411.tif 000007
【図７】
0006484411.tif 000008
【図８】
0006484411.tif 000009
【図９】
0006484411.tif 000010